(57)【要約】【課題】この発明はベッドフレームを不用意に上下動させたり、床板体を起伏駆動させることがないようにした電動式のベッド装置を提供することにある。【解決手段】電動式のベッド装置であって、  ベッド本体１と、ベッド本体に設けられ第１の駆動源１１によって駆動されるベッドフレーム５及び第２の駆動源１４によって駆動される床板体６と、第１、第２の駆動源を作動させてベッドフレーム及び床板体を駆動操作するためのリモートコントローラ２３と、第１、第２の駆動源に給電するための電源コード１６と、電源コードに設けられ押圧操作したときに電源コードを通じて第１、第２の駆動源へ給電しリモートコントローラによる第１、第２の駆動源の駆動操作を可能にするスイッチユニット２５とを具備する。【選択図】      図２
2006136399.tif 000002
【特許請求の範囲】
【請求項１】
電動式のベッド装置であって、
ベッド本体と、
このベッド本体に設けられ駆動源によって駆動される被駆動部と、
上記駆動源を作動させて上記被駆動部を駆動操作するための操作部と、
上記駆動源に給電するための給電手段と、
この給電手段に設けられ押圧操作したときに上記給電手段を通じて上記駆動源へ給電し上記操作部による上記駆動源の駆動操作を可能にするスイッチユニットと
を具備したことを特徴とするベッド装置。
【請求項２】
上記ベッド本体の側部には載置部材が設けられ、この載置部材に上記スイッチユニットが載置されることを特徴とする請求項１記載のベッド装置。
【請求項３】
上記載置部材は、上記ベッド本体の側部の長手方向に沿って移動可能かつ任意の位置で固定可能に設けられていることを特徴とする請求項２記載のベッド装置。
【請求項４】
上記給電手段は一端に電源プラグが設けられ他端が中継ボックスのコンセントに接続された一対の電線からなる電源コードを有し、この電源コードの一方の電線に上記スイッチユニットが接続されていることを特徴とする請求項１記載のベッド装置。
【発明の詳細な説明】
【技術分野】
【０００１】
この発明は床板を起伏駆動したり、上下駆動することができる電動式のベッド装置に関する。
【背景技術】
【０００２】
一般に、ベッド装置はベッド本体を有し、このベッド本体には床板体が設けられている。この床板体の上面にはマットレスが載置され、このマットレス上に利用者が仰臥するようになっている。
【０００３】
病院などで用いられる電動式のベッド装置は、上記ベッド本体をベースフレームと、このベースフレームに上下駆動機構によって上下駆動可能に設けられた被駆動部としてのベッドフレームとから構成し、このベッドフレームに同じく被駆動部としての上記床板体を設けるようにしている。
【０００４】
そして、床板体を複数の床部に分割して回動可能に連結し、この床板体のうちの、少なくとも利用者の上半身に対応する床部を背上げ駆動機構によって起伏駆動できるようにしたものがある。
【０００５】
上記上下駆動機構と背上げ駆動機構はそれぞれ駆動源を有し、この駆動源には操作部としてのリモートコントローラが駆動制御部を介して接続されている。このリモートコントローラを操作して上記上下駆動機構や背上げ駆動機構の駆動源を駆動し、被駆動部としての上記ベッドフレームや床板体を作動させるようになっている。
【発明の開示】
【発明が解決しようとする課題】
【０００６】
このような構成のベッド装置においては、上述したようにリモートコントローラを操作すれば、上記上下駆動機構や背上げ駆動機構の駆動源を駆動することができる。しかしながら、病院などで用いられる電動式のベッド装置は、利用者が小児や痴呆症の人などの場合があり、小児の場合にはリモートコントローラをいたずらしたり、痴呆症の人の場合には不用意に操作するなどしてベッドフレームを上下動させたり、床板体を起伏駆動させてしまうという虞があった。
【０００７】
この発明は操作部をいたずらしたり、不用意に操作してもベッドフレームや床板体などの被駆動部が作動することがないようにした電動式のベッド装置を提供することにある。
【課題を解決するための手段】
【０００８】
この発明は、電動式のベッド装置であって、
ベッド本体と、
このベッド本体に設けられ駆動源によって駆動される被駆動部と、
上記駆動源を作動させて上記被駆動部を駆動操作するための操作部と、
上記駆動源に給電するための給電手段と、
この給電手段に設けられ押圧操作したときに上記給電手段を通じて上記駆動源へ給電し上記操作部による上記駆動源の駆動操作を可能にするスイッチユニットと
を具備したことを特徴とするベッド装置にある。
【０００９】
上記ベッド本体の側部には載置部材が設けられ、この載置部材に上記スイッチユニットが載置されることが好ましい。
【００１０】
上記載置部材は、上記ベッド本体の側部の長手方向に沿って移動可能かつ任意の位置で固定可能に設けられていることが好ましい。
【００１１】
上記給電手段は一端に電源プラグが設けられ他端が中継ボックスのコンセントに接続された一対の電線からなる電源コードを有し、この電源コードの一方の電線に上記スイッチユニットが接続されていることが好ましい。
【発明の効果】
【００１２】
この発明によれば、スイッチユニットを押圧操作した状態で操作部を操作しなければ駆動源を作動させることができないから、操作部をいたずらしたり、不用意に操作しても、駆動源が作動するのを防止することができる。
【発明を実施するための最良の形態】
【００１３】
以下、この発明の実施の形態を図面を参照して説明する。
【００１４】
図１乃至図３はこの発明の第１の実施の形態を示す。図１と図２に示すこの発明の電動式のベッド装置はベッド本体１を備えている。このベッド本体１は四隅部に脚２が設けられたベースフレーム３と、このベースフレーム３に上下駆動機構を構成するリンク４によって上下動可能に連結された第１の被駆動部としてのベッドフレーム５とによって構成されている。
【００１５】
上記ベッドフレーム５には第２の被駆動部としての床板体６が設けられている。この床板体６はベッドフレーム５の長手方向中央部に固定して設けられた固定床部６ａを有する。この固定床部６ａの一側には腰床部６ｂと背床部６ｃとが順次回動可能に連結されている。
【００１６】
上記固定床部６ａの他側には第１の脚床部６ｄと第２の脚床部６ｅとが順次回動可能に連結されている。つまり、床板体６は５つの床部に分割され、これら床部が互いに回動可能に連結されている。上記ベッドフレーム５の長手方向一端にはヘッドボード７、他端にはフットボード８が設けられている。なお、床板体６上には図示しないマットレスが載置される。
【００１７】
図２に示すように、上記ベースフレーム３には第１の駆動源１１が設けられている。この第１の駆動が作動すると、上記リンク４が回動駆動されて下降位置にある上記ベッドフレーム５を上昇方向に駆動させたり、上昇位置から下降位置に駆動させることができるようになっている。
【００１８】
上記ベッドフレーム５の下面には背上げ駆動機構１２が設けられている。この背上げ駆動機構１２はケース１３を有し、このケース１３の側面には第２の駆動源１４が設けられている。この第２の駆動源１４が作動すると、図示しないアームが倒伏状態から起上方向に駆動されるようになっている。
【００１９】
それによって、ベッドフレーム５上に水平に倒伏した上記腰床部６ｂと背床部６ｃとが図１に示すように起上方向に駆動されるとともに、上記第１の脚床部６ｄと第２の脚床部６ｅとが山形状に屈曲するよう駆動されるようになっている。なお、背上げ駆動機構１２は背床部６ｃだけを駆動し、第１、第２の脚床部６ｄは駆動されない構成であってもよい。
【００２０】
上記第１の駆動源１１と第２の駆動源１４とには中継ボックス１５を介して第１の電源コード１６によって給電されるようになっている。この第１の電源コード１６は一対の電線１６ａを有し、その一端には第１の電源プラグ１７が接続され、他端は上記中継ボックス１５に設けられたコンセント１８に接続されている。このコンセント１８には図３に示すように上記第１、第２の駆動源１１，１４を駆動する駆動制御部１９からの第２の電源コード２１の第２の電源プラグ２２が接続される。
【００２１】
なお、この実施の形態では、電源プラグ１７、電源コード１６、コンセント１８及び電源プラグ２２によって上記第１、第２の駆動源１１，１４に給電する給電手段を構成している。
【００２２】
上記駆動制御部１９には操作部としてのリモートコントローラ２３が接続されている。このリモートコントローラ２３には上記第１の駆動源１１と第２の駆動源１４をそれぞれ操作するための操作ボタン２３ａ，２３ｂ（図１に示す）が設けられていて、これら操作ボタン２３ａ，２３ｂの操作によって上記ベッドフレーム５を上下動させたり、上記床板体６の床部を起伏駆動させることができるようになっている。なお、上記操作ボタン２３ａ，２３ｂは押圧操作しているときだけ閉成するモーメンタリー形のものが用いられている。
【００２３】
上記第１の電源コード１６の一方の電線１６ａの上記中継ボックス１５内に位置する部分にはスイッチユニット２５に設けられたスイッチ２６が直列に接続されている。このスイッチ２６は、たとえば足踏み式で床面に置かれていて、足で押圧操作したときにだけ閉成するモーメンタリー形のものが採用されている。
【００２４】
図１は分かり易く図示するために上記中継ボックス１５が床面に置かれている状態を示しているが、図２に示すように上記中継ボックス１５は上記ベースフレーム３の側部材３ａに直接或いは図示しないフックなどによって取り付けられる。  
なお、中継ボックス１５はベースフレーム３に取り付けず、床面に置くようにしても差し支えない。
【００２５】
このような構成の電動式のベッド装置によれば、第１の電源コード１６の一方の電線１６ａにスイッチユニット２５のスイッチ２６を直列に設けるようにした。そのため、第１の駆動源１１を作動させてベースフレーム３を上下動させたり、第２の駆動源１４を作動させて床板体６の背床部６ｃや第１、第２の脚床部６ｄ、６ｅを起伏駆動する場合、単にリモートコントローラ２３の操作ボタン２３ａ，２３ｂを押圧操作するだけではなく、スイッチユニット２５のスイッチ２６を押圧操作した状態でリモートコントローラ２３を操作しなければ、駆動制御部１９に通電させて上記各駆動源１１，１４を駆動することができない。
【００２６】
そのため、ベッド装置の利用者が小児や痴呆症などの人であって、床板体６上の図示しないマットレスに仰臥した状態で上記リモートコントローラ２３をいたずらに操作しても、第１の駆動源１１や第２の駆動源１４が駆動されることがないから、ベッドフレーム５や床板体６が不用意に作動するのを防止することができる。
【００２７】
つまり、マットレス上の利用者がリモートコントローラ２３を操作するだけではベッドフレーム５や床板体６を駆動させることができず、たとえば介護者などがスイッチユニット２５を押圧操作しながらリモートコントローラ２３を操作しなければ操作不能であるから、ベッドフレーム５や床板体６を不用意に作動させるのを確実に防止することができる。
【００２８】
図４と図５はこの発明の第２の実施の形態を示す。なお、第１の実施の形態と同一部分には同一記号を付して説明を省略する。すなわち、この第２の実施の形態は、ベースフレーム３に載置部材としてのブラケット３１が設けられている。このブラケット３１は図５に示すように上記ベースフレーム３の側部材３ａに係合する逆Ｕ字状の係合部３２及びこの係合部３２の一側から水平方向に延出された載置部３３を有する。
【００２９】
上記係合部３２は上記側部材３ａに移動可能に係合されていて、この側部材３ａの下面よりも下方に突出した一対の側辺間には締め付け用のねじ３４が貫通して設けられている。一方の側辺から突出したねじ３４の一端にはナット３５が螺合されている。したがって、ねじ３４が緩められた状態では上記ブラケット３１を側部材３ａに沿って移動させることが可能であり、任意の位置でねじ３５を締め込めば、その位置でブラケット３１を側部材３ａに移動不能に固定することができる。
【００３０】
そして、上記ブラケット３１の載置部３３には中継ボックス１５及びスイッチユニット２５が載置される。中継ボックス１５とスイッチユニット２５は、上記載置部３３にねじなどによって着脱可能に固定してもよいが、単に載置するだけであってもよい。
【００３１】
このように、スイッチユニット２５をブラケット３１の載置部３３に載置するようにすれば、床面に置く場合のように邪魔になるようなことがないばかりか、ベースフレーム３の脚２にキャスタ（図示せず）を取付けてベッド装置を移動可能な構成とした場合、ベッド装置を移動させるときにも上記スイッチユニット２５が邪魔になることがない。
【００３２】
さらに、スイッチユニット２５が載置されるブラケット３１をベースフレーム３の側部材３ａに沿って移動可能に設けたから、上記スイッチユニット２５を操作し易い位置に位置決めすることもできる。
【００３３】
この発明は上記各実施の形態に限定されず、たとえば電動式のベッド装置としてはベッドフレームを上下動させる上下駆動機構と、床板体を起伏駆動する背上げ駆動機構のいずれか一方だけを備えている構成であってもよい。
【００３４】
また、上記実施の形態では給電手段として電源プラグが設けられた電源コードによって中継ボックスに設けられたコンセントに給電するようにしたが、上記電源プラグを中継ボックスと一体的に形成し、この電源プラグを電源コードを用いずにコンセントに電気的に接続するようにしてもよい。
【図面の簡単な説明】
【００３５】
【図１】この発明の第１の実施の形態を示すベッド装置の斜視図。
【図２】図１に示すベッド装置の側面図。
【図３】第１の駆動源と第２の駆動源とを駆動するために電気回路図。
【図４】この発明の第２の実施の形態を示すベッド装置の側面図。
【図５】ベッドフレームの側部材に取り付けられたブラケットを示す側断面図。
【符号の説明】
【００３６】
１…ベッド本体、３…ベースフレーム、４…リンク（上下駆動機構）、５…ベッドフレーム、６…床板体、１１…第１の駆動源、１２…背上げ駆動機構、１４…第２の駆動源、１６…第１の電源コード、１９…駆動制御部、２３…リモートコントローラ（操作部）、２５…スイッチユニット、２６…スイッチ、３１…ブラケット（載置部材）、３２…係合部、３３…載置部。
【図１】
2006136399.tif 000003
【図２】
2006136399.tif 000004
【図３】
2006136399.tif 000005
【図４】
2006136399.tif 000006
【図５】
2006136399.tif 000007